(57)【要約】【課題】振動情報を長期安定的に、精密に記録する媒体としての振動情報記録水を、工業的に量産することが出来るものである。【解決手段】精製水にＦｅ化合物含有鉱石を所定期間浸漬させてＦｅ化合物接触水を製造し、その後所定量の精製水にＦｅ化合物接触水と化学塩とを所定の比率で添加して希釈・攪拌することにより振動情報記録水を製造することにある。【選択図】            図１
2004167467.tif 000002
【特許請求の範囲】
【請求項１】
振動情報の記録媒体として用いられることを主たる目的とする素材であり、Ｆｅ化合物含有鉱石を所定期間接触させた精製水と塩化ナトリウムで構成される振動情報記録水。
【発明の詳細な説明】
【０００１】
【発明の属する技術分野】
本発明は、物質（生命体を含む）が持つ固有の振動情報を記録し、長期安定的に保存する振動情報記録媒体として用いられる振動情報記録水に関する。
【０００２】
【従来の技術】
古くから、物質の「性質」をあらわす「情報」だけを水に記憶させ、その「情報」を治療に活用する、という考え方が存在する。その顕著な例としては、１９世紀初頭にドイツのハーネマン（Ｓａｍｕｅｌ  Ｈａｈｎｅｍａｎｎ）により始められたホメオパシー医療があり、近年特にその利用者が増加している。
【０００３】
ホメオパシーの基本的な考え方は以下の通りである。例えばある薬草の抽出液を水で希釈し、その希釈を繰り返していくと、やがて薬草の分子は統計的には一分子もなくなり、その薬草の性質をあらわす「情報」だけが水に残る。その水を患者に投与すると、薬草と同じ効果が患者の身体に表れる、というものである。
【０００４】
上記水の性質は、２００年もの間に蓄積されたホメオパシー治療における膨大な量の臨床結果が裏付けている。
【０００５】
而して、ここにいう「情報」の実体についての理論的説明は諸説紛々のままだが、共通項として、物質あるいは生体内に存在する「電子レベルの振動」として捉えられている点で多くの学者等の意見は近年おおむね一致している（以下、情報を「振動情報」という）。
【０００６】
尚、この振動情報を、電気的装置を用いて制御するという発想の技術は、古くから存在しており、例えば、１９５０年代からドイツを中心に広められたＥＡＶ（Ｅｌｅｃｔｒｏｎｉｃ  Ａｃｕｐｕｎｃｔｕｒｅａｃｃｏｒｄｉｎｇ  ｔｏ  Ｄｒ．Ｖｏｌｌ）という診断・治療装置が代表例として挙げられる。
【０００７】
ドイツでは現在、数多くの種類のＥＡＶが開発され、実際の医療現場でも活用されている。これに対し米国では、ＥＡＶと技術的背景を同じくする振動情報の計測装置（ＭＲＡ：Ｍａｇｎｅｔｉｃ  Ｒｅｓｏｎａｎｃｅ  Ａｎａｌｙｚｅｒ）が１９８９年にウェインストック（Ｒｏｎａｌｄ  Ｊ．Ｗｅｉｎｓｔｏｃｋ）により開発され、我が国でも特開平６−１３０００８号公報で確認することができる。又水に振動情報を記録させる装置の一実施例としては、実登３０１０１２９号公報に示す生体情報転写器が挙げられる。
【０００８】
【発明が解決しようとする課題】
しかしながら、上記前者及び後者の装置を用いた場合であっても、下記に示すような問題が生じていた。
【０００９】
即ち、上記前者の振動情報計測装置で生体を計測する場合、「ある程度の正確性」は確保できるものの、厳密な定点計測は不可能であった。
【００１０】
尚、水を振動情報の記録媒体として用いるという発想は、ホメオパシーにおいても採用されている。上記後者の生体情報転写器を用いて水に振動情報を記録させることで定点計測は可能となるが、水の情報保持能力において課題が残る。なぜならば、水を振動情報の記録媒体として用いる場合、水は振動情報の「受信」、「固定」、「伝達」能力をすべて持ち合わせてはいるものの、受信能力と固定能力については不安定であり、水に一旦記録された振動情報は、経時変化を起こすこと、及び温度変化などの外的要因により容易に変化し、水を沸騰させるとゼロになることが周知の事実として知られている。
【００１１】
又、水の他に、振動情報の重要な伝達機能を持つことが知られているのが、鉱石（ミネラル）と塩であり、鉱石は「受信」能力に長けており、塩は一旦受信した振動情報を「固定」する性質を持っている。
【００１２】
よって、湧き水等、自然界の水には、水の他に微量のミネラル分（塩化ナトリウムを含む）が含有しており、その意味では受信、固定、伝達のための三要素がすべて揃っているといえる。
【００１３】
しかしながら、自然界の水はそのミネラルのバランスにより振動情報記録能力に偏差があることが各種試験によって確認されており、よって、自然界の水は、分析目的又は産業応用を目的として精密に振動情報を記録する記録媒体としては不完全であり不適切なものであった。
【００１４】
而して、本発明は、生体のある時点の状態を「振動情報」として極めて簡単且つ確実に、しかも一旦記録した振動情報を変化させることなく長期間保存することが出来る振動情報記録水を提供することを課題とするものである。
【００１５】
【課題を解決するための手段】
即ち、本発明は上記課題を解決すべくなされたものであり、請求項１にかかる発明は、振動情報記録媒体として用いられる振動情報記録水が、精製水にＦｅ化合物含有鉱石を所定期間接触させて得られるＦｅ化合物接触水と塩化ナトリウムを所定の比率で混合し、精製水により所定の倍率で希釈・攪拌して得られるものである。
【００１６】
よって、鉱石の一種であるＦｅ化合物含有鉱石が持つ、安定的に高い振動情報の受信機能を用いると共に、その成分を精製水に抽出させるという方法をとらず、精製水に一定期間接触させることでＦｅ化合物含有鉱石の影響を水に刷り込むことが出来るという利点がある。
【００１７】
更に、天然塩は塩化ナトリウム（ＮａＣｌ）の他に雑多なミネラル分が含有されているため、厳密なミネラルバランスを実現するためには、他のミネラル分を含まない化学塩を使用する必要がある。
【００１８】
よって、本発明では、他のミネラル分を含まない純度の高い化学塩（日本薬局方：ＪＩＳＫ８００５の塩化ナトリウムＮａＣｌ−純度９９．９８％）を用いることで振動情報を安定した状態で受信できるという利点がある。
【００１９】
更に、本発明では、一般の水道水や自然界の水ではなく精製水が用いられる。即ち、水道水は、殺菌・消毒のために塩素が加えられており、また、他に雑多な化学物質が微量ではあるが残留していることから振動情報の受信能力と固定能力は極めて不安定である。
【００２０】
ミネラルウォーターは、自然界の水を煮沸滅菌したもので、多種多様なミネラル分がそのまま残留しており、このため水道水やミネラルウォーターは、本発明の振動情報記録水の原料として用いることは好ましくない。
【００２１】
蒸留水は蒸留製造装置により水を加熱して発生した水蒸気を冷却することによりつくられた水であるが、厳密には不要なミネラル分を十分に排除できない場合がある。
【００２２】
従って、叙上の様な理由から、本発明では、イオン交換樹脂を通した純水を蒸留した精製水を用いることで、正確なミネラルのバランス配合を実現することが可能になるという利点がある。
【００２３】
【発明の実施の形態】
以下、本発明における振動情報記録水を実際に製造する場合の一実施形態を図面に従って説明する。
【００２４】
図１は、本発明における振動情報記録水の製造工程を模式図で示したものであり、かかる工程では初めにＦｅ化合物接触水４を製造することから始まる。
【００２５】
Ｆｅ化合物接触水４の製造は、小型の容器１内に精製水２を入れ、これにＦｅ化合物含有鉱石（実施形態では赤鉄鉱を用いるが、この際、水と接触する赤鉄鉱の表面を研磨・鏡面仕上げにしておく必要がある。）３を長期間自然放置状態で浸漬させるものである。
【００２６】
この場合、１，０００ｍｌの精製水２に対して、３０〜３００ｇのＦｅ化合物含有鉱石３を６〜１５ヶ月という長期間に渡って浸漬させる。
【００２７】
このように、Ｆｅ化合物含有鉱石３を精製水２内に長期間に渡って浸漬させることにより、Ｆｅ化合物含有鉱石３が本来有しているＦｅ化合物の影響が刷り込まれたＦｅ化合物接触水４を製造することが出来る。
【００２８】
続いて、Ｆｅ化合物接触水と塩化ナトリウムを所定の比率で混合し、精製水により所定の倍率で希釈・攪拌するのであるが、先ず、上記の如く得られたＦｅ化合物接触水４を１〜１５ｍｌ取水し、その後かるる容量に対して化学塩（日本薬局方：ＪＩＳＫ８００５の塩化ナトリウムＮａＣｌ−純度９９．９８％）を１０ｇ準備する。
【００２９】
次に、容器５に精製水２を１０，０００ｍｌ溜めると共に、上記１〜１５ｍｌのＦｅ化合物接と１０ｇの化学塩６を添加し、３５℃以上の水温を維持しつつ、攪拌機７を用いて１６８時間以上攪拌する。
【００３０】
その後、上記の如く３５℃以上の水温で、且つ１６８時間以上攪拌して得られた希釈水８を１０ｍｌだけ取水し、容器９に溜めた１０，０００ｍｌの精製水に添加し、上記同様３５℃以上の水温を維持しつつ、攪拌機７を用いて１６８時間以上攪拌する。
【００３１】
次に、上記工程で得られた希釈水８ａを再び１０ｍｌだけ取水し、容器１０に溜めた１０，０００ｍｌの精製水に添加し、再度３５℃以上の水温を維持しつつ、攪拌機７を用いて１６８時間以上攪拌する。
【００３２】
これにより、１〜１５ｍｌのＦｅ化合物接触水４と１０ｇの化学塩１０ｇを精製水により１０の９乗倍の希釈倍率で希釈したことになるが、この時点で振動情報記録水１１が完成する。
【００３３】
従って、上記工程にて得られる振動情報記録水１１によれば、鉱石の一種であるＦｅ化合物含有鉱石３が持つ、安定的に高い振動情報の受信機能を用いると共に、その成分を精製水に抽出させるという方法をとらず、精製水に一定期間接触させることでＦｅ化合物含有鉱石３の影響を水に刷り込むことが出来るという利点がある。
【００３４】
更に、上記工程にて得られる振動情報記録水１１は、他のミネラル分を含まない純度の高い化学塩６を用いることにより振動情報を安定した状態で受信できるという利点がある。
【００３５】
更に、上記工程にて得られる振動情報記録水１１は、一般の水道水や自然界の水ではなく精製水を用いることで、正確なミネラルのバランス配合を実現することが可能になるという利点がある。
【００３６】
【発明の効果】
叙上のように、本発明による振動情報記録媒体として用いられる振動情報記録水によれば、工業的に製造された精製水と化学塩及びＦｅ化合物含有鉱石を用いて製造する技術を採用しているため、振動情報記録水内に不純物等による混じりやミネラルバランスの偏り等の不都合が生じることが一切無く、よって生体のある時点の状態を「振動情報」として極めて簡単且つ確実に、しかも一旦記録した振動情報を変化させることなく長期間保存することが出来るという極めて高品質の振動情報記録水を簡単且つ大量に、しかも工業ベースに乗って安価に作り出すことができるという格別な効果を奏するに至った。
【図面の簡単な説明】
【図１】本発明における振動情報記録水の製造工程を示した模式図。
【符号の説明】
１…  容器
２…  精製水
３…  Ｆｅ化合物含有鉱石
４…  Ｆｅ化合物接触水
５…  容器
６…  化学塩
７…  攪拌機
８，８ａ…  希釈水
９…  容器
１０…  容器
１１…  振動情報記録水
【図１】
2004167467.tif 000003